(57)【特許請求の範囲】
【請求項１】
平板状可撓性配線と、該平板状可撓性配線が取付面に取り付けられた状態で相手コネクタ内に挿入されることによって前記平板状可撓性配線の端部に形成された端子と相手コネクタ内の相手端子とが接続される端子挿入部を有してなるスライダと、前記平板状可撓性配線が前記スライダとで挟持されるように前記スライダに組み付けられるスライダカバーと、を有してなる平板状可撓性配線コネクタにおいて、
前記端子挿入部は、
前記端部が挿通可能に前記取付面上に形成されてなり、前記取付面側から反対面側に貫通するスリット状の挿通開口部を有し、かつ前記端部が前記挿通開口部に挿入された状態で前記スライダカバーが組み付けられた場合、前記端部が前記取付面上から前記挿通開口部内に屈曲して保持されると共に、前記端部の先端面が前記挿通開口部内に当接されないようにして保持する屈曲保持部
を有してなることを特徴とする平板状可撓性配線コネクタ。
【請求項２】
前記端部は、
前記屈曲保持部によって、縁に向けて前記相手端子の接触面との間隔が大きくなるように屈曲して保持されることを特徴とする請求項１に記載の平板状可撓性配線コネクタ。
【請求項３】
前記挿通開口部は、
長手方向の辺を形成する一対の開口内壁面の各開口内壁面が前記端部の屈曲方向に沿って形成されてなることを特徴とする請求項１または２に記載の平板状可撓性配線コネクタ。
【請求項４】
前記平板状可撓性配線は、
前記端部が露出されるように補強板が貼りつけられてなることを特徴とする請求項１、２または３に記載の平板状可撓性配線コネクタ。
【発明の詳細な説明】
【技術分野】
【０００１】
本発明は、平板状可撓性配線を有してなる平板状可撓性配線コネクタに関する。
【背景技術】
【０００２】
従来、各種電気機器の相互接続には、配線経路の自由度を向上させるため、フレキシブルフラットケーブル（Ｆｌｅｘｉｂｌｅ  Ｆｌａｔ  Ｃａｂｌｅ）、あるいはフレキシブル配線基板（Ｆｌｅｘｉｂｌｅ  Ｐｒｉｎｔｅｄ  Ｃｉｒｃｕｉｔ）等の平板状可撓性配線を有してなる平板状可撓性配線コネクタが用いられる。例えば、特許文献１には、フレキシブルフラットケーブルの先端近傍においてフレキシブルフラットケーブルの全周面に相手コネクタに挿入される挿入ガイドが形成されてなる平板状可撓性配線コネクタが提案されている。
【０００３】
この特許文献１に記載された平板状可撓性配線コネクタ２００は、図１７に示すように、フレキシブルフラットケーブル２１０の全周面に挿入ガイド２２０が形成されることによって強度が向上され、さらにフレキシブルフラットケーブル２１０の端部２１０ａが下方に向けて傾斜した状態で挿入ガイド２２０に設けられた凹部２２０ａに侵入するようになっているので、挿入ガイド２２０が相手コネクタ内に挿入される際、フレキシブルフラットケーブル２１０の端部２１０ａが不図示の相手コネクタ内の相手端子に当接されて損傷されることを防ぎ、結果的に電気的特性が低下することを防止するようになっている。
【先行技術文献】
【特許文献】
【０００４】
【特許文献１】特開２００６−８５９８９号公報
【発明の概要】
【発明が解決しようとする課題】
【０００５】
しかしながら、特許文献１に記載された平板状可撓性配線コネクタ２００は、フレキシブルフラットケーブル２１０の端部２１０ａが保護されるものの、端部２１０ａが凹部２２０ａに確実に嵌め込まれたか否かを確認することが難しく、組み付け作業が煩雑になるという問題があった。
【０００６】
本発明は、上記に鑑みてなされたものであって、電気的特性が低下することを防止しつつ、組み付け作業を容易にすることができる平板状可撓性配線コネクタを提供することを目的とする。
【課題を解決するための手段】
【０００７】
上述した課題を解決し、目的を達成するために、本発明の請求項１にかかる平板状可撓性配線コネクタは、平板状可撓性配線と、該平板状可撓性配線が取付面に取り付けられた状態で相手コネクタ内に挿入されることによって前記平板状可撓性配線の端部に形成された端子と相手コネクタ内の相手端子とが接続される端子挿入部を有してなるスライダと、前記平板状可撓性配線が前記スライダとで挟持されるように前記スライダに組み付けられるスライダカバーと、を有してなる平板状可撓性配線コネクタにおいて、
前記端子挿入部は、
前記端部が挿通可能に前記取付面上に形成されてなり、前記取付面側から反対面側に貫通するスリット状の挿通開口部を有し、かつ前記端部が前記挿通開口部に挿入された状態で前記スライダカバーが組み付けられた場合、前記端部が前記取付面上から前記挿通開口部内に屈曲して保持されると共に、前記端部の先端面が前記挿通開口部内に当接されないようにして保持する屈曲保持部
を有してなることを特徴とする。
【０００８】
また、本発明の請求項２にかかる平板状可撓性配線コネクタは、上記の発明において、前記端部は、前記屈曲保持部によって、縁に向けて前記相手端子の接触面との間隔が大きくなるように屈曲して保持されることを特徴とする。
【０００９】
また、本発明の請求項３にかかる平板状可撓性配線コネクタは、上記の発明において、前記挿入開口部は、長手方向の辺を形成する一対の開口内壁面の各開口内壁面が前記端部の屈曲方向に沿って形成されてなることを特徴とする。
【００１０】
また、本発明の請求項４にかかる平板状可撓性配線コネクタは、上記の発明において、前記平板状可撓性配線は、前記端部が露出されるように補強板が貼りつけられてなることを特徴とする。
【発明の効果】
【００１１】
本発明の請求項１にかかる平板状可撓性配線コネクタは、前記端子挿入部が、前記端部が挿通可能に前記取付面上に形成されてなるスリット状の挿通開口部を有し、かつ前記端部が前記挿通開口部に挿入された状態で前記スライダカバーが組み付けられた場合、前記端部が前記取付面上から前記挿通開口部内に屈曲して保持される屈曲保持部を有してなるので、前記端部が前記屈曲保持部によって保護され、かつ前記挿通開口部を介して、前記端部が前記屈曲保持部によって保護されているか否かの確認作業を容易に行うことができるので、電気的特性が低下することを防止しつつ、組み付け作業を容易にすることができる。
【００１２】
本発明の請求項２にかかる平板状可撓性配線コネクタは、前記端部が前記屈曲保持部によって、縁に向けて前記相手端子の接触面との間隔が大きくなるように屈曲して保持されるので、前記端子挿入部が相手コネクタ内に挿入される際、前記端子の傾斜面と相手端子とが滑らかに当接されるので、前記端子の損傷を防止することができ、結果的に、電気的特性が低下することを防止することができる。
【００１３】
本発明の請求項３にかかる平板状可撓性配線コネクタは、前記挿通開口部が長手方向の辺を形成する一対の開口内壁面の各開口内壁面が前記端部の屈曲方向に沿って形成されてなるので、前記屈曲保持部によって前記端部を所定の角度で屈曲させることが容易にできる。
【００１４】
本発明の請求項４にかかる平板状可撓性配線コネクタは、前記平板状可撓性配線が、前記端部が露出されるように補強板が貼りつけられてなるので、前記補強板が貼りつけられた部分の強度を向上させつつ、前記端部を容易に屈曲させることができ、結果的に組み付け作業を容易にすることができる。
【図面の簡単な説明】
【００１５】
【図１】図１は、本発明の実施の形態にかかる平板状可撓性配線コネクタと、平板状可撓性配線コネクタに接続される相手コネクタとを示した斜視図である。
【図２】図２は、図１に示した平板状可撓性配線コネクタを斜め前方から視た斜視図である。
【図３】図３は、図１に示した平板状可撓性配線コネクタの上面図である。
【図４】図４は、図１に示した平板状可撓性配線コネクタの正面図である。
【図５】図５は、図４に示した平板状可撓性配線コネクタのＡ−Ａ線断面図である。
【図６】図６は、図１に示した平板状可撓性配線コネクタを斜め下方から視た斜視図である。
【図７】図７は、図６に示した平板状可撓性配線コネクタの端子周辺を拡大した図である。
【図８】図８は、図１に示したＦＰＣの上面図である。
【図９】図９は、図８に示したＦＰＣの側面図である。
【図１０】図１０は、図１に示したスライダを斜め上方から視た斜視図である。
【図１１】図１１は、図１に示したスライダの上面図である。
【図１２】図１２は、図１に示したスライダの正面図である。
【図１３】図１３は、図１０に示したスライダのＢ−Ｂ線断面図である。
【図１４】図１４は、端子挿入部が相手コネクタ内に挿入される状態を説明するための図である。
【図１５】図１５は、端子挿入部が相手コネクタ内に挿入開始されてから平板状可撓性配線コネクタと相手コネクタとが固定されるまでの流れを示した図である。
【図１６】図１６は、平板状可撓性配線コネクタの組み付け手順を示した図である。
【図１７】図１７は、従来技術を説明するための図である。
【発明を実施するための形態】
【００１６】
以下、図面を参照して、この発明にかかる平板状可撓性配線コネクタの好適な実施の形態を詳細に説明する。
【００１７】
（実施の形態）
図１は、本発明の実施の形態にかかる平板状可撓性配線コネクタ１と、平板状可撓性配線コネクタ１に接続される相手コネクタ１００とを示した斜視図である。図２は、図１に示した平板状可撓性配線コネクタ１を斜め前方から視た斜視図である。図３は、図１に示した平板状可撓性配線コネクタ１の上面図である。図４は、図１に示した平板状可撓性配線コネクタ１の正面図である。図５は、図４に示した平板状可撓性配線コネクタ１のＡ−Ａ線断面図である。図６は、図１に示した平板状可撓性配線コネクタ１を斜め下方から視た斜視図である。図７は、図６に示した平板状可撓性配線コネクタ１の端子１４周辺を拡大した図である。図８は、図１に示したＦＰＣ１０の上面図である。図９は、図８に示したＦＰＣ１０の側面図である。図１０は、図１に示したスライダ３０を斜め上方から視た斜視図である。図１１は、図１に示したスライダ３０の上面図である。図１２は、図１に示したスライダ３０の正面図である。図１３は、図１０に示したスライダ３０のＢ−Ｂ線断面図である。図１４は、端子挿入部４０が相手コネクタ１００内に挿入される状態を説明するための図である。
なお、便宜上、図中に示した互いに直交する矢印の方向を前後左右上下方向とする。
【００１８】
本発明の実施の形態にかかる平板状可撓性配線コネクタ１は、平板状可撓性の平板状可撓性配線としてのフレキシブル配線基板１０（以下、ＦＰＣという。）と、ＦＰＣ１０が取り付けられ、かつ相手コネクタ１００内に挿入されることによってＦＰＣ１０の端部１１に形成された端子１２と相手コネクタ１００内の相手端子１１０とが接続される端子挿入部４０を有してなるスライダ３０と、ＦＰＣ１０がスライダ３０とで挟持されるようにスライダ３０に組み付けられるスライダカバー５０と、を有してなる。
【００１９】
まず、公知の相手コネクタ１００について説明する。
相手コネクタ１００は、図１に示すように、スライダ３０の端子挿入部４０が挿入される開口部１２０ａが後端部１２０ｂに形成されてなる箱型形状のハウジング部１２０と、ハウジング部１２０内の収容空間１２０ｃに設けられ、ＦＰＣ１０の各端子１４に接続される複数の相手端子１１０とを有してなる。各相手端子１１０は、例えば、ハウジング部１２０の下部で不図示の回路基板に電気的に接続されるようになっている。
【００２０】
ハウジング部１２０の上面１２０ｄにはスライダ３０の後述するコネクタ係合部３２に係合される係止突起１２１が設けられ、この係止突起１２１とコネクタ係合部３２とが係合されることによって、平板状可撓性配線コネクタ１が相手コネクタ１００に固定されるようになっている。
【００２１】
次に、ＦＰＣ１０について説明する。
ＦＰＣ１０は、図８および図９に示すように、導電性の金属膜がパターン形成されてなる回路配線１２を有し、この回路配線１２の両面が絶縁性薄膜フィルム１３によって覆われてなる平板状可撓性の回路基板である。
このＦＰＣ１０の端部１１には複数の端子１４が並んで形成され、各端子１４が各相手端子１１０との接続を可能とするため、各端子１４の接続側の接続面１４ａを露出させるように、絶縁性薄膜フィルム１３の一部が除去されている。
【００２２】
また、ＦＰＣ１０の左右方向の両側端部１５には円形状の位置決め孔１６が形成されている。ＦＰＣ１０がスライダ３０に組み付けられる際、スライダ３０の後述する取付面３１ｃから突起された後述する各位置決め突起３１ｅが各位置決め孔１６に挿通されることによって、スライダ３０に対するＦＰＣ１０の取り付け位置の位置決めがなされるようになっている。
【００２３】
なお、ＦＰＣ１０は、スライダ３０の取付面３１ｃに当接される側の面１０ａ、すなわち、端子１１が露出される側の面１０ａの裏面１０ｂに補強のための補強板２０が貼り付けられることによって、強度を増加させるようになっている。
補強板２０は、金属板等からなり、ＦＰＣ１０の端部１１が露出されるように形成されてなる。すなわち、ＦＰＣ１０の端部１１は柔軟性が高く、屈曲されやすいようになっている。また、補強板２０には、各位置決め孔１６に対応して位置決め孔２１が形成され、ＦＰＣ１０に貼り合わされた状態でスライダ３０に取り付けられるようになっている。
【００２４】
なお、補強板２０は、端子１１が露出される側の面１０ａの裏面１０ｂに貼りつけられるものを例示したが、これに限らない。すなわち、補強板２０は、裏面１０ｂに貼り付けられてもよい。この場合、端子１４の接続面１４ａが露出されるように端部１１が露出されるようにする。
また、本発明の実施の形態では、補強板２０がＦＰＣ１０の端部１１が露出されるように形成されてなるものを例示したが、これに限定されない。すなわち、ＦＰＣ１０が端部１１を含めて補強板２０によって覆われるようにしてもよい。この場合、補強板２０は裏面１０ｂに貼り付けられるものとする。
【００２５】
次に、スライダ３０について説明する。
スライダ３０は、絶縁性材からなり、図１０−図１３に示すように、スライダ基部３１と、スライダ基部３１の上部３１ａに設けられたコネクタ係合部３２と、端子挿入部４０とを有してなる。
【００２６】
スライダ基部３１は、略直方体形状に形成されてなる基部であり、下面３１ｂにＦＰＣ１０が取り付けられる取付面３１ｃを有してなる。この取付面３１ｃの長手方向の両端部３１ｄには、取付面３１ｃから下方に向けて突起された位置決め突起３１ｅが形成されている。ＦＰＣ１０がスライダ３０に組み付けられる際、各位置決め突起３１ｅがＦＰＣ１０の各位置決め孔１６に挿通されることによって、スライダ３０に対するＦＰＣ１０の取り付け位置の位置決めがなされるようになっている。
【００２７】
コネクタ係合部３２は、相手コネクタ１００に設けられた係止突起１２１に係合されることによって、平板状可撓性配線コネクタ１と相手コネクタ１００とを固定させるものである。
【００２８】
端子挿入部４０は、ＦＰＣ１０が取り付けられ、かつ相手コネクタ１００内に挿入されることによって端子１４と相手コネクタ１００内の相手端子１１０とを接続させる部分である。この端子挿入部４０は、図１３に示すように、取付面３１ｃが前方に延びるようにスライダ基部３１の下部前端３１ｆから突出されて設けられている。
【００２９】
また、端子挿入部４０は、屈曲保持部４１を有してなる。
屈曲保持部４１は、ＦＰＣ１０の端部１１が挿通可能に取付面３１ｃ上に形成されてなるスリット状の挿通開口部４２を有し、かつ端部１１が挿通開口部４２に挿入された状態でスライダカバー５０が組み付けられた場合、図５に示すように、端部１１が取付面３１ｃ上から挿通開口部４２内に屈曲して保持される部分である。
より具体的には、屈曲保持部４１は、端部１１が屈曲保持部４１によって、縁１１ａに向けて相手端子１１０の接触面１１０ａとの間隔が大きくなるように屈曲して保持される。
また、挿通開口部４２は、長手方向の辺を形成する一対の開口内壁面４２ａの各開口内壁面４２ａが端部１１の屈曲方向に沿って形成されてなる。このため、端部１１が屈曲保持部４１によって所定の角度で屈曲され易いようになっている。すなわち、挿通開口部４２に端部１１を挿入した後、端部１１を取付面３１ｃ側に屈曲させることによって端部１１が所定の角度で屈曲されるようになっている。
【００３０】
このような、屈曲保持部４１によって端部１１の縁１１ａが相手端子１１０に当接されないようになっている。すなわち、屈曲保持部４１によって端部１１が保護されるようになっている。
また、各端子１４には各相手端子１１０の接触面１１０ａとの間隔が大きくなるように傾斜された傾斜面１４ｂが形成される。このような傾斜面１４ｂが形成されることによって、端子挿入部４０が相手コネクタ１００内に挿入される際、各端子１４は、各相手端子１１０に対して最初に傾斜面１４ｂが当接されるようになっているため、各端子１４と各相手端子１１０とが滑らかに当接されるようになっている。
【００３１】
次に、スライダカバー５０について説明する。
スライダカバー５０は、スライダ３０の長手方向を長手方向とする外形略長方形形状の板状部材であり、図４に示すように、長手方向の両縁５１が上方に折り曲げられてスライダ３０の側部３１ｇに当接されるようになっている。このスライダカバー５０の長手方向の両端部５２には、図６に示すように、スライダ３０に組み付ける際に位置決め突起３１ｅが挿通される固定用孔５３が形成されている。この固定用孔５３に位置決め突起３１ｅが挿通されることによって、スライダカバー５０がスライダ３０に固定されるようになっている。
【００３２】
このような平板状可撓性配線コネクタ１は、図１４に示すように、屈曲保持部４１によって端部１１が保護され、しかも端部１１が端子１４に傾斜面１４ｂが形成されるように屈曲されているので、端子挿入部４０が相手コネクタ１００内に挿入される際、各端子１４と各相手端子１１０とが滑らかに当接される。
【００３３】
次に、図１５を用いて端子挿入部４０が相手コネクタ１００内に挿入開始されてから平板状可撓性配線コネクタ１と相手コネクタ１００とが固定されるまでの流れを説明する。図１５は、端子挿入部４０が相手コネクタ１００内に挿入開始されてから平板状可撓性配線コネクタ１と相手コネクタ１００とが固定されるまでの流れを示した図である。
【００３４】
まず、作業者等によって、端子挿入部４０が相手コネクタ１００内に挿入開始されると、屈曲保持部４１が相手端子１１０に当接される（図１５（ａ）参照）。このため、端部１１の縁１１ａが相手端子１１０に当接されず、端部１１の変形等の損傷を防ぐことができる。
【００３５】
その後、作業者等によって、端子挿入部４０が相手コネクタ１００内にさらに挿入されると、各相手端子１１０が各端子１４の傾斜面１４ｂに当接される（図１５（ｂ）参照）。このように、各端子１４が各相手端子１１０に当接される際、最初に傾斜面１４ｂが当接されることによって、各端子１４と各相手端子１１０とが滑らかに当接される。
【００３６】
その後、作業者等によって、端子挿入部４０が相手コネクタ１００内の取付位置まで挿入されると、係止突起１２１とコネクタ係合部３２とが係合される（図１５（ｃ）参照）。これにより、平板状可撓性配線コネクタ１と相手コネクタ１００との接続が完了される。
【００３７】
次に、図１６を用いて平板状可撓性配線コネクタ１の組み付け手順について説明する。図１６は、平板状可撓性配線コネクタ１の組み付け手順を示した図である。
【００３８】
まず、作業者は、スライダ３０に対して斜め下方から、ＦＰＣ１０の端部１１を挿通開口部４２に挿入する（図１６（ａ）参照）。この際、スライダ３０の上方から挿通開口部４２を目視することによって、端部１１が挿通開口部４２に挿入されているか否かを容易に確認することができる。
【００３９】
その後、作業者は、位置決め孔１６に位置決め突起３１ｅが挿通されるように、かつＦＰＣ１０の裏面１０ｂが取付面３１ｃに接するようにスライダカバー５０およびＦＰＣ１０をスライダ３０に取り付ける（図１６（ｂ）参照）。このようにして、ＦＰＣ１０の端部１１が屈曲され、端部１１が屈曲された状態で屈曲保持部４１によって保持される。
【００４０】
その後、作業者は、スライダカバー５０の固定用孔５３に位置決め突起３１ｅを挿通させることによってスライダカバー５０をスライダ３０に固定する（図１６（ｃ）参照）。これによって、ＦＰＣ１０は端部１１が屈曲された状態でスライダ３０とスライダカバー５０とによって挟持される。以上で平板状可撓性配線コネクタ１の組み付け作業が完了される。
【００４１】
本発明の実施の形態の平板状可撓性配線コネクタ１は、端子挿入部４０が、端部１１が挿通可能に取付面３１ｃ上に形成されてなるスリット状の挿通開口部４２を有し、かつ端部１１が挿通開口部４２に挿入された状態でスライダカバー５０が組み付けられた場合、端部１１が取付面３１ｃ上から挿通開口部４２内に屈曲して保持される屈曲保持部４１を有してなるので、端部１１が屈曲保持部４１によって保護され、かつ挿通開口部４２を介して、端部１１が屈曲保持部４１によって保護されているか否かの確認作業を容易に行うことができるので、電気的特性が低下することを防止しつつ、組み付け作業を容易にすることができる。
【００４２】
また、本発明の実施の形態の平板状可撓性配線コネクタ１は、端部１１が屈曲保持部４１によって、縁１１ａに向けて相手端子１１０の接触面１１０ａとの間隔が大きくなるように屈曲して保持されるので、端子挿入部４０が相手コネクタ１００内に挿入される際、各端子１４の傾斜面１４ｂと各相手端子１１０とが滑らかに当接されるので、各端子１４の損傷を防止することができ、結果的に、電気的特性が低下することを防止することができる。
【００４３】
また、本発明の実施の形態の平板状可撓性配線コネクタ１は、挿入開口部４２が長手方向の辺を形成する一対の開口内壁面４２ａの各開口内壁面４２ａが端部１１の屈曲方向に沿って形成されてなるので、屈曲保持部４１によって端部１１を所定の角度で屈曲させることが容易にできる。
【００４４】
また、本発明の実施の形態の平板状可撓性配線コネクタ１は、ＦＰＣ１０が、端部１１が露出されるように補強板２０が貼りつけられてなるので、補強板２０が貼りつけられた部分の強度を向上させつつ、端部１１を容易に屈曲させることができ、結果的に組み付け作業を容易にすることができる。
【００４５】
なお、本発明の実施の形態では、平板状可撓性配線として、ＦＰＣ１０を用いて説明したが、平板状可撓性配線であればその他のものを用いてもよい。例えば、フレキシブルフラットケーブルを用いてもよい。
【００４６】
また、本発明の実施の形態では、端部１１が屈曲保持部４１によって、縁１１ａに向けて相手端子１１０の接触面１１０ａとの間隔が大きくなるように屈曲して保持されるものを例示したが、これに限らない。すなわち端部１１が挿通開口部４２に挿入された状態でスライダカバー５０が組み付けられた場合、端部１１が取付面３１ｃ上から挿通開口部４２内に屈曲して保持されるようになっていればよい。例えば、端部１１が屈曲保持部４１によって鉛直方向に屈曲して保持されるようにしてもよい。
【００４７】
また、本発明の実施の形態では、補強板２０がＦＰＣ１０に貼りつけられるものを例示したが、これに限定されず、補強板２０を用いない構成であってもよい。
【００４８】
以上、本発明者によってなされた発明を、上述した発明の実施の形態に基づき具体的に説明したが、本発明は、上述した発明の実施の形態に限定されるものではなく、その要旨を逸脱しない範囲において種々変更可能である。
【符号の説明】
【００４９】
１        平板状可撓性配線コネクタ
１０      ＦＰＣ
１０ａ、１０ｂ  面
１１      端部
１１ａ    縁
１２      回路配線
１３      絶縁性薄膜フィルム
１４      端子
１４ａ    接続面
１４ｂ    傾斜面
１５      側端部
１６      位置決め孔
２０      補強板
２１      位置決め孔
３０      スライダ
３１      スライダ基部
３１ａ    上部
３１ｂ    下面
３１ｃ    取付面
３１ｄ    端部
３１ｅ    位置決め突起
３１ｆ    下部前端
３１ｇ    側部
３２      コネクタ係合部
４０      端子挿入部
４１      屈曲保持部
４２      挿通開口部
４２ａ    開口内壁面
５０      スライダカバー
５１      縁
５２      端部
５３      固定用孔
１００    相手コネクタ
１１０    相手端子
１１０ａ  接触面
１２０    ハウジング部
１２０ａ  開口部
１２０ｂ  後端部
１２０ｃ  収容空間
１２０ｄ  上面
１２１    係止突起
【図１】
0005801664.tif 000002
【図２】
0005801664.tif 000003
【図３】
0005801664.tif 000004
【図４】
0005801664.tif 000005
【図５】
0005801664.tif 000006
【図６】
0005801664.tif 000007
【図７】
0005801664.tif 000008
【図８】
0005801664.tif 000009
【図９】
0005801664.tif 000010
【図１０】
0005801664.tif 000011
【図１１】
0005801664.tif 000012
【図１２】
0005801664.tif 000013
【図１３】
0005801664.tif 000014
【図１４】
0005801664.tif 000015
【図１５】
0005801664.tif 000016
【図１６】
0005801664.tif 000017
【図１７】
0005801664.tif 000018